(57)【要約】【課題】本発明は、部品数が少なく構造が簡単で、かつ取付対象物の垂直面への取り付けが容易な薄型テレビ取付装置を提供し、また該薄型テレビ取付装置を装着した薄型テレビ取付キャビネットによって垂直面を持たない床頭台やテーブル等にもチルトとパンの機能を備えた薄型テレビを載置可能にしようととするものである。。【解決手段】取り付け対象物の垂直な面に固着されるＬ型金具と、該Ｌ型金具の水平な面に左右方向に回動可能に軸支された筒状体の第１アームと、該第１アームの先端に摺動可能に挿入された筒状体の第２アームとで伸縮可能にしてなる薄型テレビ取付アームと、前記第２アームの先端にジョイントを介して上下方向及び左右方向に回動可能に装着された薄型テレビ取付金具とで構成された薄型テレビ取付装置と、該薄型テレビ取付装置を装着した薄型テレビ取付キャビットによる。【選択図】  図１
2012134851.tif 000002
【特許請求の範囲】
【請求項１】
薄型テレビを取り付け対象物の垂直な面に取り付けるためのテレビ取付装置であって、
前記取り付け対象物の垂直な面に固着される装置取付金具と、
該装置装着金具の水平な面に左右方向に回動可能に軸支された筒状体の第１アームと、該第１アームの先端に摺動可能に挿入された筒状体の第２アームとで伸縮可能にしてなる薄型テレビ取付アームと、
前記第２アームの先端に接続具を介して上下方向及び左右方向に回動可能に装着された薄型テレビ取付金具とで構成されてなることを特徴とする薄型テレビ取付装置。
【請求項２】
前記薄型テレビ取付アームを構成する第１アームと第２アームが、いずれも縦長の長方形断面を有する筒状体であることを特徴とする前項に記載の薄型テレビ取付装置。
【請求項３】
前記薄型テレビ取付アームが、３個以上のアーム、すなわち第３アーム以上のアームを備えてなることを特徴とする請求項１又は２に記載の薄型テレビ取付装置。
【請求項４】
請求項１〜３のいずれか１項に記載の薄型テレビ取付装置を装着してなることを特徴とする収納棚。
【請求項５】
請求項１〜３のいずれか１項に記載の薄型テレビ取付装置を装着してなることを特徴とする床頭台。
【請求項６】
請求項１〜３のいずれか１項に記載の薄型テレビ取付装置を装着してなることを特徴とする学習机。
【請求項７】
請求項１〜３のいずれか１項に記載の薄型テレビ取付装置を装着した背面板と、同背面板を支持して直立させる脚体を備え、床頭台、収納棚、学習机、あるいはタンスなどの家具の上に載置可能に形成してなることを特徴とする薄型テレビ取付キャビネット。
【請求項８】
請求項７に記載の薄型テレビ取付キャビネットが、第２アームの先端に接続具を介して装着された薄型テレビを画像表示面が上方を向くよう回動し、前記第２アームを第１アーム内に押し込んで前記薄型テレビ取付アームを縮めることによって、前記薄型テレビを薄型テレビ取付キャビネット内に収納した際、前記薄型テレビの画像表示面を保護する天板を有してなることを特徴とする薄型テレビ取付キャビネット。
【発明の詳細な説明】
【技術分野】
【０００１】
本発明は、液晶テレビ、プラズマテレビなどの薄型テレビを垂直な面に取り付けるための薄型テレビ取付装置及びこれを備えた薄型テレビ支持台に関する。
【背景技術】
【０００２】
液晶やプラズマディスプレイを画面表示に用いた薄型のテレビ受信機が主流となったことから、床頭台や収納棚などに薄型テレビを取り付ける取付装置に関する発明が多数開示されている。これらの発明では、床頭台や収納棚などの取付け対象物に薄型テレビを吊り下げた状態で取り付ける吊り下げ機構と、前記薄型テレビのチルトやパンを調整するチルト・パン調整機構を備えており、さらに同チルト・パン調整機構を前後又は左右にスライド可能にしたもの（特開平１１−２７６５３０号公報、特開２００６−１３９２１５号公報参照）など床頭台や収納棚の天板下面部に設置して使用するものが多く見られる。
これに対して実用新案登録第３１３６３６６号公報では、上記の床頭台や収納棚の天板下面部に設置して使用する薄型テレビ取付装置では、床頭台や収納棚への取付作業が煩雑なこと、収納スペースが狭められることが問題とされ、これを解決した発明（考案）が開示されている。すなわちその発明（考案）は、図５、図６に示すように、
「回動アーム支持機構ａ上に、左右両縁にレールｂ’，ｂ’を形成した長尺な回動ア−ムｂを、その基端を支点に左右回動自在にして取り付け、上記回動アームｂの上記レールｂ’，ｂ’に係合する係合突縁を左右両縁に形成した長尺なスライダ１２を上記回動アームｂに対して摺動自在にして係合させるとともに、左右回転および起伏傾動自在な薄型テレビ固定用ブラケット１５をそのスライダ１２に対して取り付けてなるテレビ取付装置。また、上記テレビ取付装置を、上記回動アーム支持機構ａをテレビ支持板の上面に乗載固定して取り付けた収納棚。」
であって、テレビ取付装置を収納棚の上部に設けたテレビ支持台の上面に乗載して、収納スペースを有効に利用できるようにしたものである。
【先行技術文献】
【特許文献】
【０００３】
【特許文献１】特開平１１−２７６５３０号公報
【特許文献２】特開２００６−１３９２１５号公報
【特許文献３】特許第３７８０３７８号公報
【特許文献４】実用新案登録第３１３６３６６号公報
【発明の概要】
【発明が解決しようとする課題】
【０００４】
しかし、上記特許文献４の発明の薄型テレビ取付装置は、構造部品が多く、かつ平面同士の摺動部分が多いことから、薄型テレビを視聴快適位置に移動する際には、摺動部の摩擦が小さくなるよう薄型テレビを持ち上げるようにしてスライダーの先端に加わる荷重を小さくすることが望まれることや、前記摺動部への埃の付着が不具合の原因となる懸念が問題点となる。
本発明は上記問題点に鑑み、部品数が少なく構造が簡単で、かつ取付対象物の垂直面への取り付けが容易な薄型テレビ取付装置を提供するとともに、該薄型テレビ取付装置を装着した薄型テレビ取付キャビネットを提供して、前記薄型テレビ取付装置を取り付けられ裏垂直面を有しない床頭台やテーブル等でもチルト・パン調節機能を備えた薄型テレビを載置しよう可能とすることを課題としたるものである。
【課題を解決するための手段】
【０００５】
本発明者は、上記課題を下記に手段により解決した。
（１）薄型テレビを取り付け対象物の垂直な面に取り付けるためのテレビ取付装置であって、
前記取り付け対象物の垂直な面に固着される装置装着金具と、
該装置装着金具の水平な面に左右方向に回動可能に軸支された筒状体の第１アームと、該第１アームの先端に摺動可能に挿入された筒状体の第２アームとで伸縮可能にしてなる薄型テレビ取付アームと、
前記第２アームの先端にジョイントを介して上下方向及び左右方向に回動可能に装着された薄型テレビ取付金具とで構成されてなることを特徴とする薄型テレビ取付装置。
（２）前記薄型テレビ取付アームを構成する第１アームと第２アームが、いずれも縦長の長方形断面を有する筒状体であることを特徴とする前項（１）に記載の薄型テレビ取付装置。
（３）前記薄型テレビ取付アームが、３個以上のアーム、すなわち第３アーム以上のアームを備えてなることを特徴とする前項（１）又は（２）に記載の薄型テレビ取付装置。
【０００６】
（４）前項（１）〜（３）のいずれか１項に記載の薄型テレビ取付装置を装着してなることを特徴とする収納棚。
（５）前項（１）〜（３）のいずれか１項に記載の薄型テレビ取付装置を装着してなることを特徴とする床頭台。
（６）前項（１）〜（３）のいずれか１項に記載の薄型テレビ取付装置を装着してなることを特徴とする学習机。
【０００７】
（７）前項（１）〜（３）のいずれか１項に記載の薄型テレビ取付装置を装着した背面板と、同背面板を支持して直立させる脚体を備え、床頭台、収納棚、学習机、あるいはタンスなどの家具の上に載置可能に形成してなることを特徴とする薄型テレビ取付キャビネット。
（８）前項（７）に記載の薄型テレビ取付キャビネットが、第２アームの先端に接続具を介して装着された薄型テレビを画像表示面が上方を向くよう回動し、前記第２アームを第１アーム内に押し込んで前記薄型テレビ取付アームを縮めることによって、前記薄型テレビを薄型テレビ取付キャビネット内に収納した際、前記薄型テレビの画像表示面を保護する天板を有してなることを特徴とする薄型テレビ取付キャビネット。
【発明の効果】
【０００８】
本発明の薄型テレビ取付装置及びこれを備えた薄型テレビ支持台によって、下記の効果が発揮される。
〈１〉薄型テレビを取り付け対象物の垂直な面に取り付けるためのテレビ取付装置であって、
前記取り付け対象物の垂直な面に固着される装置装着金具と、
該装置装着金具の水平な面に左右方向に回動可能に軸支された筒状体の第１アームと、該第１アームの先端に摺動可能に挿入された筒状体の第２アームとで伸縮可能にしてなる薄型テレビ取付アームと、
前記第２アームの先端にジョイントを介して上下方向及び左右方向に回動可能に装着された薄型テレビ取付金具とで構成されているので、構成部品が少なく製造が容易で、低価格で使いやすい薄型テレビ取付装置が提供できる。
また、前記第１アーム、第２アームのいずれもが筒状体であることから、摺動部への埃の付着は極めて少なく、保守も容易で長期間安定に操作することができる。
〈２〉前記薄型テレビ取付アームを構成する第１アームと第２アームが、いずれも縦長の長方形断面を有する筒状体であるので、該薄型テレビ取付アームの先端部に装着された薄型テレビの荷重によって前記アームが撓むことなく、アームの伸縮がスムーズに行える。
【０００９】
〈３〉前記薄型テレビ取付装置の取り付け対象物への取り付けが、前記対象物の垂直面に装置装着金具を固定するだけで行えるので、前記薄型テレビの床頭台、収納棚、学習机等への装着が容易かつ簡便に実施できる。
【００１０】
〈４〉前記薄型テレビ取付装置を装着した背面板と、同背面板を支持して直立させる脚体を備えた薄型テレビ取付キャビネットによって、前記薄型テレビ取付装置を装着できる垂直面のない床頭台、収納棚、学習机、あるいはタンスなどの家具の上に、薄型テレビを転倒のおそれなく載置でき、かつ移動も容易であり、さらに画像表示面の向きも薄型テレビ自体を置き換えることなく任意に調整でき、薄型テレビの使い勝手を極めてよくすることができる。
〈５〉前記薄型テレビ取付キャビネットが、第２アームの先端に接続具を介して装着された薄型テレビを画像表示面が上方を向くよう回動し、前記第２アームを第１アーム内に押し込んで前記薄型テレビ取付アームを縮めることによって、前記薄型テレビを薄型テレビ取付キャビネット内に収納した際、前記薄型テレビの画像表示面を保護する天板を有しているので、落下物などによって薄型テレビの画像表示面を損なうおそれがない。
【図面の簡単な説明】
【００１１】
【図１】本発明の薄型テレビ取付装置の斜視図（アームを伸ばした状態）
【図２】本発明の薄型テレビ取付装置の斜視図（アームを縮めた状態）
【図３】本発明の薄型テレビ取付キャビネットの側面図、（ａ）テレビ収納時、（ｂ）テレビ使用時
【図４】本発明の薄型テレビ取付装置の作用説明図
【図５】特許文献４に開示されたテレビ取付装置の斜視図（図１）
【図６】特許文献４に開示されたテレビ取付装置を備えた収納棚の側面図（図１４）
【発明を実施するための形態】
【００１２】
本発明の薄型テレビ取付装置及びこれを備えた薄型テレビ取付キャビネットを実施するための形態を、実施例の図に基づいて説明する。
図１は本発明の薄型テレビ装着装置の斜視図（アームを伸ばした状態）、図２は本発明の薄型テレビ取付装置の斜視図（アームを縮めた状態）であり、図３は本発明の薄型テレビ取付キャビネットの側面図で（ａ）はテレビ収納時、（ｂ）テレビ使用時を示しており、図４は本発明の薄型テレビ取付装置の作用説明図である。
図において１は薄型テレビ取付装置、２はＬ型金具、３は薄型テレビ取付アーム、３ａは第１アーム、３ｂは第２アーム、４は接続具、４ａはチルト調節部、４ｂはパン調節部、５は薄型テレビ取付金具、６は第１アーム回動軸受部、１０は薄型テレビ取付キャビネット、１１は背面板、１２は脚体、１３は天板、１４は底板、２０は薄型テレビを示す。
【００１３】
本発明の薄型テレビ取付装置１は、薄型テレビを取り付け対象物の垂直な面に取り付けるための装置であって、図１及び図２に示すように、
取り付け対象物の垂直な面に固着されるＬ型金具２と、
該Ｌ型金具２の水平な面に左右方向に回動可能に軸支された筒状体の第１アーム３ａと、該第１アーム３ａの先端に摺動可能に挿入された筒状体の第２アーム３ｂとで伸縮可能にしてなる薄型テレビ取付アーム３と、
前記第２アーム３ｂの先端にジョイント４を介して上下方向及び左右方向に回動可能に装着された薄型テレビ取付金具５とで構成されている。
そして前記薄型テレビ取付アーム３を構成する第１アーム３ａと第２アーム３ｂとは、いずれも縦長の長方形断面を有する筒状体で形成されることが好ましく、さらには、図１に示すように第２アーム３ｂの上面及び左右の両側面に複数条の溝（図１では各面２条）を刻設し、これらの溝に対応した位置に突設された第１アーム３ａ内壁の突条に係合させて摺動させるようにして、出し入れの際のぶれやがたつきが少ない薄型テレビ取付アーム３とすることもより好ましい。
また、前記第２アーム３ｂと薄型テレビ取付具５との間に介在させた接続具４は、前記薄型テレビ取付金具５に装着される薄型テレビ２０の傾きや回転角度を調整するためにチルト調整部４ａとパン調整部４ｂとが一体的に形成されているものが好ましい。
さらに、前記薄型テレビ取付アーム３が、３個以上のアーム、すなわち第３アーム以上のアームを備えて構成されてもよい。
【００１４】
本発明の薄型テレビ取付装置１は、前記Ｌ型金具２を取付対象物の垂直面に固着するだけでよく、したがって、前記Ｌ型金具２が取り付けられる垂直面を持つ家具類、例えば収納棚、床頭台、学習机等に容易、簡便に取り付けて使用することができる。また、病院、介護施設、ビジネスセルホテル等の個室のベッド脇壁面に取り付ければ仰臥した状態でそれぞれの視聴しやすい位置と角度に調節して薄型テレビの画面を楽しむようにもでき、さらに家庭の台所の壁面に取り付ければ調理しながらテレビを見られることにもなる。
【００１５】
本発明の薄型テレビ取付装置１を備えた薄型テレビ取付キャビネット１０は、、前記薄型テレビ取付装置１を装着した背面板１１と、同背面板１１の左右両側面に同背面板１１を支持して直立させる脚体１３とで構成され、前記薄型テレビ取付装置１を取り付ける垂直面が存在しない床頭台やテーブル、あるいは他の家具類などの上に載置して薄型テレビ２０のチルト、パン及びその位置をも薄型テレビ取付アーム３の調節機能の範囲内で視聴しやすいように任意に調節できるようにしたものである。
図３はその実施の形態を示す一実施の側面図であり、（ａ）は薄型テレビ２０を視聴せず収納している状態を、（ｂ）は薄型テレビ取付キャビネット１０の真正面から薄型テレビ２０を視聴するときの状態を示している。
図３に示す薄型テレビ取付キャビネット１０は、底板１４の上に、前記薄型テレビ取付装置１を装着した背面板１１と同背面板１１の左右両側面に同背面板１１を支持して直立させる脚体１２となるコの字形状の側面板を備え、さらに前記背面板１１及び脚体１２としての側面板の上に、薄型テレビ１０を図３（ｂ）に示すように画像表示面を上方に向けて収納した際前記画像表示面を落下物などから防止する天板１３を備えている。
前記底板１４は、図４に示すように、薄型テレビ２０を装着した薄型テレビ取付装置１の薄型テレビ取付アーム３を最も長く伸ばした状態で第１アーム回動軸受部６に軸支された回転軸（図示せず）の回りに回動させても前記薄型テレビ取付キャビネット１０が安定しているのに必要な形状と質量とを有していればよく、また、脚体１２となる側板も、コの字形状に限られるものでなく、上記薄型テレビ取付アーム３の回動範囲を狭めない形状で前記天板１２を載置可能な機能を備えていればどのような形状であってもよい。
【符号の説明】
【００１６】
１：薄型テレビ取付装置
２：Ｌ型金具
３：薄型テレビ取付アーム
３ａ：第１アーム
３ｂ：第２アーム
４：接続具
４ａ：チルト調整部
４ｂ：パン調整部
５：薄型テレビ取付金具
６：第１アーム回動軸受部
１０：薄型テレビ取付キャビネット
１１：背面板
１２：脚体
１３：天板
１４：底板
２０：薄型テレビ
【図１】
2012134851.tif 000003
【図２】
2012134851.tif 000004
【図３】
2012134851.tif 000005
【図４】
2012134851.tif 000006
【図５】
2012134851.tif 000007
【図６】
2012134851.tif 000008